(57)【要約】      （修正有）【課題】挿入部と露出部とを有する遮煙部材と、凹部を有する支持部材とを備え、挿入部を凹部に挿入したものを、エレベータの乗場扉と出入口枠との間等への煙の進入阻止のために設置するものにおいて、現場で凹部への挿入部の挿入が簡単に行える挿入治具を提供する。【解決手段】支持部材１を直線方向に移動するように案内する第１案内部１３と、前記直線方向と所定の鋭角をなして前記直線方向と交わる方向に遮煙部材２を移動するように案内する第２案内部２２と、第１案内部１３の案内方向と第２案内部２２の案内方向とが交わる位置付近にその外周が来るように設けられた押ローラ１４とを備え、この押ローラ１４の回転により遮煙部材２の挿入部２ａを支持部材１の凹部１ａに挿入する構成とした。【選択図】図１
2010100415.tif 000002
【特許請求の範囲】
【請求項１】
挿入部と露出部とを有する遮煙部材を、凹部を有する支持部材に挿入する挿入治具において、
前記支持部材を直線方向に移動するように案内する第１案内部と、前記直線方向と所定の鋭角をなして前記直線方向と交わる方向に前記遮煙部材を移動するように案内する第２案内部と、前記第１案内部の案内方向と前記第２案内部の案内方向とが交わる位置付近にその外周が来るように設けられた押ローラとを備え、該押ローラの回転により前記遮煙部材の挿入部を前記支持部材の凹部に挿入する構成であることを特徴とする遮煙部材の挿入治具。
【請求項２】
乗場から昇降路に通じる出入口に設けられた上枠及び縦枠からなる出入口枠と、該出入口枠に隙間を隔てて配置され敷居に案内されて前記出入口枠の開口部を開閉する乗場扉とを有し、この乗場扉の上部と側部と底部、又は前記乗場扉の上部と側部と底部に対向する対向部材の少なくとも一方には、煙の進入を阻止する遮煙部材を備え、前記遮煙部材は挿入部と露出部とを有しており前記挿入部が支持部材の凹部に挿入される構成であり、前記支持部材が前記乗場扉又は前記対向部材に着脱可能に取り付けられた構成の扉装置であって、前記支持部材に前記遮煙部材を挿入する挿入治具において、
前記支持部材を直線方向に移動するように案内する第１案内部と、前記直線方向と所定の鋭角をなして前記直線方向と交わる方向に前記遮煙部材を移動するように案内する第２案内部と、前記第１案内部の案内方向と前記第２案内部の案内方向とが交わる位置付近にその外周が来るように設けられた押ローラとを備え、該押ローラの回転により前記遮煙部材の挿入部を前記支持部材の凹部に挿入する構成であることを特徴とする遮煙部材の挿入治具。
【請求項３】
前記第１案内部は、前記支持部材の反凹部側を支持する複数の第１案内ローラを有し、前記押ローラは前記支持部材の凹部に前記遮煙部材の挿入部を挿入するとともに前記支持部材を直接又は前記遮煙部材を介して支持し、また前記第２案内部材は前記挿入部を両側から支持する第２案内ローラを有するとともに前記露出部を支持する第３案内ローラを有していることを特徴とする請求項１又は２に記載の遮煙部材の挿入治具。
【請求項４】
前記挿入部は遮煙部材の長手方向と直交方向断面において両側に凹凸を有する形状であり、前記第２案内部は前記挿入部の凹部に挿入可能な略円盤状の第２案内ローラを有していることを特徴とする請求項１乃至３の何れかに記載の遮煙部材の挿入治具。
【請求項５】
前記押ローラは前記支持部材の凹部を形成する一対の立片部を支持する立片部支持部を有するとともに、前記立片部の間の凹部に前記遮煙部材の挿入部を挿入する凸部を有することを特徴とする請求項１乃至４の何れかに記載の遮煙部材の挿入治具。
【請求項６】
前記挿入治具は取っ手を備えていることを特徴とする請求項１乃至５の何れかに記載の遮煙部材の挿入治具。
【発明の詳細な説明】
【技術分野】
【０００１】
本発明は、エレベータの乗場出入口から煙が昇降路内へ流入し又は昇降路内から乗場へ煙が流出するのを防止する扉装置に使用される遮煙部材をエレベータの据え付けられた現場で交換するための治具に関するものである。
【背景技術】
【０００２】
図７は従来のエレベータ用扉装置（特許文献１参照）の正面図、図８は図７のＡ−Ａ線矢視図、図９は図７のＢ−Ｂ線矢視図、図１０は図９の下端部の要部拡大図、図１１は図９の乗場扉の上部の要部拡大図、図１２は遮煙部材の拡大断面図である。
図において、１０１は中央両開き式の乗場扉、１０２は出入口の縦枠、１０３は出入口の上枠、１０４は敷居で、縦枠１０２と上枠１０３と敷居１０４とによって乗場出入口の開口部を包囲している。乗場扉１０１の下端には図示省略したドアガイドシューがあり、このドアガイドシューにより敷居１０４に沿って乗場扉１０１は開閉案内される。
【０００３】
図１０に示すように、１１１は遮煙部材で、挿入部１１１ａと左右一対の突片からなる露出部１１１ｂとからなり、前記ドアガイドシューの取付部以外の部分に設けられる。１１０は乗場扉１０１の下端に着脱可能に設けられた支持部材で、下部には凹部１１０ａが形成され、この凹部１１０ａに挿入部１１１ａが挿入されている。露出部１１１ｂは常時は敷居１０４の溝１０４ａの側壁に接触しないように配置され、火災持に煙が火災室側から乗場扉１０１の下部に侵入してきたときには、露出部１１１ｂの突片が溝１０４ａの側壁に接触して煙を遮断する構成である。
【０００４】
図９に示すように、乗場開口部の上方にはヘッダー１２０が固定され、このヘッダー１２０にはレール１２１が水平に設置されている。該レール１２１には乗場扉１０１の上端に固定されているドアハンガー１２２が吊られており、乗場扉１０１の開閉を案内する構成となっている。１２３は乗場扉１０１の上端に着脱可能に設けられた支持部材で、下部には凹部１２３ａが形成されている。１２４は中空の遮煙部材で、凹部１２３ａに挿入される挿入部１２４ａと露出部１２４ｂとからなっている。１２４ｃは遮煙部材の先端である。この遮煙部材１２４は縦枠１０２から離れるに従って高くなるように傾斜して配置されている。１３０は上枠１０３に対して上下方向に調整自在に設けられた当て板で、乗場扉１０１の全閉時に遮煙部材１２４の先端１２４ｃと接して隙間を塞ぐようになっている。
【０００５】
図８に示すように、乗場扉１０１の戸開端側には、上端部と同様に支持部材１３３が着脱可能に設けられ、戸閉側に開いた凹部１３３ａが形成されている。１３４は中空の遮煙部材で凹部１３３ａに挿入される挿入部１３４ａと露出部１３４ｂとからなっている。
【０００６】
これらの構成により、図７に示すように、乗場扉１０１の全閉時には、遮煙部材が乗場扉１０１と出入口枠１０２，１０３及び敷居１０４との隙間を塞ぐため、火災が発生しても煙の進入を防ぐことができる。
【０００７】
尚、乗場扉１０１に遮煙部材を設ける代わりに、乗場扉１０１と対向する部材に遮煙部材を設けることも可能である。また、支持部材１１０，１２３，１３３はアルミシェープや、ステンレスや鉄製の薄板を加工したものなどが使用され，遮煙部材１１１，１２４，１３４はゴムや合成樹脂等からなる難燃性の弾性材が使用され、更に露出部１１１ｂ，１２４ｂには耐摩耗性に優れた表面処理が施されている。
【０００８】
【特許文献１】国際公開第０３／０９５３５１号パンフレット
【発明の開示】
【発明が解決しようとする課題】
【０００９】
前記の遮煙部材１１１，１２４，１３４は消耗品であるため、５年程度使用すると交換する必要がある。
この遮煙部材の交換方法としては、乗場扉又はその対向部材から、遮煙部材が挿入された支持部材を取り外し、予め工場で遮煙部材を組み込んでおいた新しい支持部材を取り付ける方法がある。
しかし、この方法では交換不要な支持部材も一緒に交換することになるため、無駄が多く、コストアップになるという問題がある。
【００１０】
別の方法として、乗場扉又はその対向部材から、遮煙部材が挿入された支持部材を取り外し、その現場において手で支持部材から遮煙部材を取り外し、支持部材に新しい遮煙部材を手で押し込んで挿入し、乗場扉等に再設置するという方法がある。
この方法だと支持部材を再利用できるため無駄が少ないという利点がある。しかし、遮煙部材は乗場扉の全閉時に昇降路と乗場扉の間を遮断するものであるため、乗場扉又はその対向部材に均一に密着するように設けなければならず、また乗場扉の繰り返しの開閉によっても落下したりずれ落ちたりしないように、支持部材に固く挿入しなければならない。そのため作業条件の悪い現場で、手によって遮煙部材を支持部材に固く挿入するのは難しいという問題がある。特に縦枠の遮煙部材は長さが２ｍを超えるため手作業での挿入作業は困難を極めるという問題がある。
【課題を解決するための手段】
【００１１】
本発明は、挿入部と露出部とを有する遮煙部材を、凹部を有する支持部材に挿入する挿入治具において、前記支持部材を直線方向に移動するように案内する第１案内部と、前記直線方向と所定の鋭角をなして前記直線方向と交わる方向に前記遮煙部材を移動するように案内する第２案内部と、前記第１案内部の案内方向と前記第２案内部の案内方向とが交わる位置付近にその外周が来るように設けられた押ローラとを備え、該押ローラの回転により前記遮煙部材の挿入部を前記支持部材の凹部に挿入する構成である遮煙部材の挿入治具を提供するものである。
【００１２】
また本発明は、乗場から昇降路に通じる出入口に設けられた上枠及び縦枠からなる出入口枠と、該出入口枠に隙間を隔てて配置され敷居に案内されて前記出入口枠の開口部を開閉する乗場扉とを有し、この乗場扉の上部と側部と底部、又は前記乗場扉の上部と側部と底部に対向する対向部材の少なくとも一方には、煙の進入を阻止する遮煙部材を備え、前記遮煙部材は挿入部と露出部とを有しており前記挿入部が支持部材の凹部に挿入される構成であり、前記支持部材が前記乗場扉又は前記対向部材に着脱可能に取り付けられた構成の扉装置であって、前記支持部材に前記遮煙部材を挿入する挿入治具において、前記支持部材を直線方向に移動するように案内する第１案内部と、前記直線方向と所定の鋭角をなして前記直線方向と交わる方向に前記遮煙部材を移動するように案内する第２案内部と、前記第１案内部の案内方向と前記第２案内部の案内方向とが交わる位置付近にその外周が来るように設けられた押ローラとを備え、該押ローラの回転により前記遮煙部材の挿入部を前記支持部材の凹部に挿入する構成である遮煙部材の挿入治具を提供するものである。
【００１３】
更に本発明は、前記第１案内部は、前記支持部材の反凹部側を支持する複数の第１案内ローラを有し、前記押ローラは前記支持部材の凹部に前記遮煙部材の挿入部を挿入するとともに前記支持部材を直接又は前記遮煙部材を介して支持し、また前記第２案内部材は前記挿入部を両側から支持する第２案内ローラを有するとともに前記露出部を支持する第３案内ローラを有している遮煙部材の挿入治具である。
【００１４】
また本発明は、前記挿入部は遮煙部材の長手方向と直交方向断面において両側に凹凸を有する形状であり、前記第２案内部は前記挿入部の凹部に挿入可能な略円盤状の第２案内ローラを有しているものである。
更にまた、本発明は、前記押ローラは前記支持部材の凹部を形成する一対の立片部を支持する立片部支持部を有するとともに、前記立片部の間の凹部に前記遮煙部材の挿入部を挿入する凸部を有するものである。
更に本発明は、前記挿入治具は取っ手を備えていることを特徴とするものである。
【発明の効果】
【００１５】
本発明によれば、現場で支持部材に新しい遮煙部材を手作業では得られない均一に挿入でき、遮煙性能を確保できるとともに短時間で容易に挿入することができるため、支持部材を再利用することができ、無駄が少なく、また工場からの運搬費用も少なくなるという利点がある
【発明を実施するための最良の形態】
【００１６】
本発明の実施の形態を図面を用いて説明する。図１は本実施の形態の挿入治具を使って支持部材に遮煙部材を挿入している状態を示す斜視図、図２は挿入治具を示す斜視図、図３は図１の要部断面図である。
【００１７】
図において、１は支持部材で、１ａはその凹部、１ｂ，１ｃは凹部１ａを形成する一対の立片部、２は遮煙部材で、２ａはその挿入部、２ｂは同じく露出部、２ｃはその先端であり、遮煙動作時に対向部材と接する部分であり遮煙性能に大きく影響する部分である。１０は遮煙部材の挿入治具であり、１１は支持部材１の反凹部側を案内する第１案内ローラであり３個配置されている。１２は低摩擦材からなり支持部材１を案内する第１案内シューであり、これら第１案内ローラ１１と第１案内シュー１２とで第１案内部１３を構成している。１４は遮煙部材２の挿入部２ａを支持部材１の凹部１ａに挿入するとともに、遮煙部材の先端２ｃには直接に力を加えて傷つけないように凹部１４ｃを設けた押ローラである。
【００１８】
この押ローラ１４は、支持部材１の立片部１ｂ，１ｃを支持する立片部支持部１４ａと、遮煙部材２の露出部２ｂを支持部材１の凹部１ａに挿入する凸部１４ｂとを有している。
２０は遮煙部材２の挿入部２ａを左右から案内する６個の第２案内ローラ、２１は遮煙部材２の露出部２ｂを案内する第３案内ローラで、これら第２案内ローラ２０と第３案内ローラ２１とで第２案内部２２を構成している。１５は取っ手である。
【００１９】
本治具１０を使用する方法は、図１に示すように、第２案内ローラ２０に挿入部２ａの両側部を沿わせるとともに、第３案内ローラ２１に露出部２ｂを沿わせるように、遮煙部材２を第２案内部２２に挿入する。そして更に押ローラ１４に露出部２ｂを沿わせるようにして、第１案内ローラ１１と押ローラ１４との間に遮煙部材２の先端を挿入する。
【００２０】
次に、第１案内ローラ１１と第１案内シュー１２と押ローラ１４との間に支持部材１を挿入すると、押ローラ１４の回転により挿入部２ａが凹部１ａに押し込まれる。そしてそのまま図１における支持部材１の手前側を第１案内部１３に押し込むか、又は支持部材１の向こう側を向こう側に引き抜くことにより、押ローラ１４によって、挿入部２ａは凹部１ａに押し込まれ（挿入され）て、向こう側へ抜けていく。
このとき、図３に示すように、両立片部１ｂ，１ｃは押ローラ１４に支持されるとともに、凸部１４ｂによって遮煙部材２が凹部１ａに挿入される構成のため、安定した確実な挿入作業が行える。また、凹部１４ａにより遮煙性能に大きく影響する遮煙部材の先端２ｃに直接に力が加わらない構成にしてあるため、遮煙部材の先端２ｃを傷つけることがない。
これにより、遮煙部材２の挿入部２ａは簡単に支持部材１の凹部１ａに挿入される。
【００２１】
本実施の形態の挿入治具１０は、第１案内部１３の案内方向即ち支持部材１の進行方向と、第２案内部２２の案内方向即ち遮煙部材２の進行方向とが適切な鋭角で交わり、その交わる位置付近にその外周が来るように押ローラ１４を配置しており、また遮煙部材２の挿入部２ａを６個の第２案内ローラ２０で左右から案内しているため、挿入部２ａが凹部１ａに安定して送られるので、挿入部２ａの凹部１ａへの挿入がスムーズに行える。
【００２２】
更に、第２案内部２２により遮煙部材２を案内することによって、ゴムや合成樹脂からなる遮煙部材２が作業中に垂れ下ることを防止しているため、挿入作業の作業効率を上げることができる。
また、図１や図１２に示すように挿入部２ａが、遮煙部材２の長手方向と直交方向断面において両側に凹凸を有する形状であり、第２案内ローラ２０を挿入部２ａの凹部に挿入可能な略円盤状としているため、遮煙部材２の案内をより安定して行うことができる。
【００２３】
このように、本実施の形態によれば、従来現場での作業が困難であった、支持部材１への遮煙部材２の挿入作業が、シンプルな治具を使って簡単な操作で行うことができる。また本挿入治具１０は小型軽量であるため、取っ手１５を持って容易に持ち運びすることができる。
【００２４】
次に、図４〜６により本発明の他の実施の形態について説明する。この実施の形態は、前記の実施の形態の場合とは支持部材と遮煙部材の形状が相異する場合に対応したものである。図４〜６は図１〜３に相当する図であり、図１〜３と同一符号は同一又は相当するものを示している。
【００２５】
図において、３０は遮煙部材の挿入治具であり、支持部材３１の形状に合わせて４個の案内ローラ１１が配置され、これらの案内ローラ１１は支持部材３１の上面と側面を案内している。また第２案内部２２は遮煙部材３２の形状に合わせてローラ等を若干変更しているが、基本的には前記の実施の形態と同じである。また遮煙部材３２の形状が変わったため、第４の案内ローラ３３が追加されている。
【００２６】
本実施の形態においても前記の実施の形態と同じく、第２案内ローラ２０に挿入部３２ａの両側部を沿わせるとともに、第３案内ローラ２１に露出部３２ｂを沿わせるようにして、遮煙部材３２を第２案内部２２に挿入する。そして更に第４案内ローラ３３を経由して、押ローラ１６に露出部３２ｂを沿わせるように、第１案内ローラ１１と押ローラ１６との間に遮煙部材３２の先端を挿入する。
【００２７】
次に、第１案内ローラ１１と第１案内シュー１２と押ローラ１６との間に支持部材３１を挿入すると、押ローラ１６の回転により挿入部３２ａが凹部３１ａに押し込まれる。そしてそのまま図４における支持部材３１の手前側を第１案内部１３に押し込むか、又は支持部材３１の向こう側を向こう側に引き抜くことにより、押ローラ１６によって、挿入部３２ａは凹部３１ａに押し込まれ（挿入され）て、向こう側へ抜けていく。
【００２８】
これにより、前記の実施の形態と同様に、遮煙部材３２の挿入部３２ａは簡単に支持部材３１の凹部３１ａに挿入される。また、本実施の形態の押ローラ１６も前記の実施の形態と同様に、遮煙状態に大きく影響する遮煙部材の先端３２ｃには直接に力が加わらない構成にしてあるため、遮煙部材の先端３２ｃを傷つけることがない。  
このように、支持部材や遮煙部材の形状が異なる部材であっても、案内ローラの数，形状，配置などを適正にアレンジすれば、支持部材や遮煙部材の形状に合った挿入治具を製作することができる。
【００２９】
以上、本発明の実施の形態について説明したが、本発明の挿入治具は、支持部材がアルミシェープや薄鋼板の加工品であっても容易に対応することができる。また前記各実施の形態では遮煙部材は図１２のような露出部が中空形状のものについて説明したが、形状に係わらず、遮煙部材を支持部材の凹部に挿入するものであれば同様に適用することができる。更に、挿入治具には第１〜第４の案内ローラを使用しているが、十分に低摩擦であれば、各案内ローラの全部又は一部を案内シューなど他の部品に置き換えることも可能である。
【図面の簡単な説明】
【００３０】
【図１】本発明の実施の形態を示す全体斜視図である。
【図２】図１の挿入治具を示す斜視図である。
【図３】図１の要部断面図である。
【図４】本発明の他の実施の形態を示す全体斜視図である。
【図５】図４の挿入治具を示す斜視図である。
【図６】図４の要部断面図である。
【図７】エレベータ用扉装置の正面図である。
【図８】図７のＡ−Ａ線矢視図である。
【図９】図７のＢ−Ｂ線矢視図である。
【図１０】図９の下端部の要部拡大図である。
【図１１】図９の乗場扉の上部の要部拡大図である。
【図１２】遮煙部材の拡大断面図である。
【符号の説明】
【００３１】
１，３１  支持部材
１ａ，３１ａ  凹部
１ｂ，１ｃ，３１ｂ，３１ｃ  立片部
２，３２  遮煙部材
２ａ，３２ａ  挿入部
２ｂ，３２ｂ  露出部
２ｃ，３２ｃ  遮煙部材の先端
１０，３０  挿入治具
１１  第１案内ローラ
１２  第１案内シュー
１３  第１案内部
１４，１６  押ローラ
１４ａ  立片部支持部
１４ｂ  凸部
１５  取っ手
２０  第２案内ローラ
２１  第３案内ローラ
２２  第２案内部
３３  第４案内ローラ
【図１】
2010100415.tif 000003
【図２】
2010100415.tif 000004
【図３】
2010100415.tif 000005
【図４】
2010100415.tif 000006
【図５】
2010100415.tif 000007
【図６】
2010100415.tif 000008
【図７】
2010100415.tif 000009
【図８】
2010100415.tif 000010
【図９】
2010100415.tif 000011
【図１０】
2010100415.tif 000012
【図１１】
2010100415.tif 000013
【図１２】
2010100415.tif 000014